(57)【要約】【課題】  ドキュメントシュレッダー装置などの装置本体に処理待ち廃棄用紙を無人で大量に供給し処理する為の用紙供給装置であって、収納部に大量に積重ねられた反り・皺・折れ曲りの有る用紙を紙詰まりしないよう用紙分離部まで誘導し、また最後の用紙を確実に送り込む。【解決手段】  反り上がった用紙端を用紙分離部に導く為の用紙加圧リングを設け、用紙分離ローラーに対し所定方向に出張らせ且つ必要に応じ用紙送り方向に回転させることで用紙端を加圧し所定の場所に確実に導く。【選択図】      図１
2007076917.tif 000002
【特許請求の範囲】
【請求項１】
例えば一箇所に大量に集中し収納される用紙を１、２枚づつドキュメントシュレッダー装置等の破砕機械に供給する場合など、用紙の斜行・皺・捲れ等がある程度許容される用紙分離供給装置の用紙分離ローラー軸に設置され搬送される用紙先端が高摩擦係数の用紙分離ローラーに引っかかりジャムが発生しないように用紙を用紙分離ローラーの下部に誘導する為の用紙加圧リングにおいて、用紙加圧リングは用紙分離ローラー軸に対して勘合のがたを持ち適当な間隔で複数設置され、用紙分離ローラーに対し用紙加圧リングを出張らせる反対側に加圧部を設け用紙加圧リングを一定方向に押し付けその出張りを一定方向にすることで用紙加圧リングが用紙圧によって凹み逃げる際の抗力に方向性をもたせ、端部が反り上がった用紙への誘導効果をより高めたことを特徴とする用紙分離搬送装置。
【請求項２】
用紙加圧リングの加圧部は加圧ローラー状で、その両端は適当な支点で回転可能なアームにより支持され、加圧ローラーはアームに対して回転可能とすることで加圧ローラーがその自重でアームの支点を中心に回転し用紙加圧リングの一部に接触しそれを押し付けることでその反対側に用紙加圧リングを出張らせるようにしたことを特徴とする請求項１記載の用紙分離搬送装置。
【請求項３】
用紙分離ローラーは用紙分離能力を高める為に適当なトルクで用紙送り方向に対し逆転するようにし、用紙加圧リングの用紙接触面は高摩擦材を施し、用紙加圧リングが用紙搬送ベルトなどの用紙搬送部の回転系の動力を得て順転するようにしたことで用紙加圧リングに接触する用紙がより確実に用紙分離ローラーの下部に誘導されるようにしたことを特徴とする、請求項１及び２記載の用紙分離搬送装置。
【発明の詳細な説明】
【技術分野】
【０００１】    本発明は機密保持の目的で廃棄する書類を細かく破砕しその記載内容を読めなくした状態で廃棄するためのドキュメントシュレッダー装置等の本体に、所定量の処理待ち廃棄用紙を無人で大量に供給する為の用紙供給装置に関するものである。
【背景技術】
【０００２】  本技術の基本的な用紙搬送技術の構想は「特願  （前回加圧リング）」で既に提案されその有用性が述べられている。本発明はそれら用紙分離供給技術を改良し、性能と信頼性をより高めようとするものである。
【発明の開示】
【発明が解決しようとする課題】
【０００３】  本発明は、ドキュメントシュレッダー装置等の用紙収納部に大量に積重ねられた処理待ち廃棄用紙の中から所定枚数を分離・搬送し本体の処理装置に安定的に供給するもので、用紙の反り・皺等で用紙端が反り上がった状態でも端部が用紙分離ローラー部に直接ぶつかり用紙ジャムを引き起こさないようにするものである。
【課題を解決するための手段】
【０００４】  用紙収納部から送られてくる複数の用紙を１、２枚に制限する為の用紙分離ローラー軸に内径がある程度大きく自由に動ける用紙加圧リングを追加し、かつ一定方向から用紙加圧リングを押すような加圧部を設け用紙加圧リングが出張る方向を最適化することで、癖のある用紙をより確実に用紙分離ローラーの所定位置に供給する。【０００５】  用紙加圧リング表面を高摩擦材とし且つ用紙送り方向に順転させることで衝突する用紙をより積極的に押さえ込み、逆転する用紙分離ローラーの所定の位置に誘導する。
【発明の効果】
【０００６】  用紙加圧リングは供給される用紙先端を導く最適な位置に配置されまた用紙送り方向に順転をしているため、反り皺または折れ曲りによって用紙先端が反り上り直接用紙分離ローラーにぶつかろうとする用紙をより確実に下向きに圧力を加え用紙分離ローラーの正しい位置に誘導することができ、用紙供給部での用紙ジャムがなくなる。
【発明を実施するための最良の形態】
【０００７】  本発明の請求項１、請求項２に対応する実施の形態を図１、図２を参照し説明する。
用紙加圧リング１は内径が用紙分離ローラー軸２の径よりも大きく、用紙分離ローラー軸２で自由に回転することができ、その内径差の分だけ自由に動けるようになっている。用紙加圧リング１の外径は用紙分離ローラー３の外径と同等かもしくはそれ以上であり、常に用紙加圧リング１の一部は用紙分離ローラー面より出張っている。【０００８】  加圧部は加圧ローラー４とその両端を支持するアーム５により構成され加圧ローラー４はアーム５に対し自由に回転し、アーム５は支点６を中心に回転可能である。【０００９】  用紙加圧リング１は用紙分離ローラー軸２に適当な間隔で複数設置され、それぞれの用紙加圧リング１は加圧ローラー４に接触し加圧ローラーの自重が伝わり一定方向に押される為その反対方向に突出るようになっている。【００１０】  用紙７の反り・折れ曲がり等で用紙端が反り上がった状態で用紙分離ローラー部に搬送されると、用紙端は用紙加圧リング１の突出部に当たり用紙分離ローラー３の下部に誘導され用紙ジャムが回避される。用紙加圧リング１は横からの用紙圧力にはある程度抵抗するが、下からの用紙圧力には簡単に逃げるようになっている為、用紙分離部では正常に用紙を分離しドキュメントシュレッダー装置に用紙を供給する。【００１１】  本発明の請求項３に対応する実施の形態を図１，２を参照し説明する。
用紙加圧リング１はその外周が高摩擦材であり、用紙搬送ベルト８と接触し通常は用紙送り方向に順転している。用紙分離ローラー３は用紙搬送方向とは逆の方向に回転している。【００１２】  用紙７の端部が用紙加圧リング１の外周部にぶつかるとその摩擦力と回転力で用紙端を積極的に用紙分離ローラー３の下部に誘導し、その後用紙７が真下に入ると上部に逃げるようになっていて、用紙分離ローラー３の分離能力を妨げないようになっている。
【実施例】
【００１３】  本発明の実施例を図１，２を参照し説明する。
用紙加圧リング１は外形が用紙分離ローラー３の径よりも少し大きいかほぼ同程度のリングであり、内径は勘合する用紙分離ローラー軸２の径よりも大きく、その隙間分だけがたが有り自由に動けるようになっている。用紙加圧リングの外周部は適度な摩擦力を持つゴム製のＯ−リング１０が嵌め込まれている。【００１４】  加圧ローラー４は複数の用紙加圧リング１に対し一定方向に圧力を加えるもので、その両端回転軸はアーム５と勘合し回転可能であり、アーム５も支点６を中心に回転可能である。【００１５】  加圧ローラー４は適度な自重を持っていて、アーム５の回転を通じて用紙加圧リング１に一定方向の圧力がかかる様になっている。用紙加圧リング１は加圧ローラー４により押されるとその反対側に内径のがた分だけ出張るようになっている。【００１６】  加圧ローラー４の自重がアーム５の回転動作で用紙加圧リング１に接触圧として作用することにより、用紙加圧リング１は用紙７の横方向には高い抵抗力で、下から突き上げる方向には小さい抵抗力で逃げるようになっている。その為用紙７の端部が横方向からぶつかる時は大きな力で用紙を加圧して下方へ誘導し、用紙端が最下部の用紙分離ローラー３の用紙分離部分付近に来ると加圧力は小さくなり、用紙分離の妨げにならないようになっている。【００１７】  通常用紙加圧リング１は用紙搬送ベルト８と接触するようになっており、接触摩擦で用紙送り方向に順転している。用紙加圧リング１が回転するとそれと接触する加圧ローラー４も回転する。【００１８】  用紙７は用紙格納部９に多数格納され用紙搬送ベルト８が回転するとその摩擦力で最下部の用紙から外に搬送され送り出される。【００１９】  ドキュメントシュレッダー装置等で処理される用紙７は廃棄用紙である為、多くの場合用紙には反り・皺・折れ曲りがあり、その端部は跳ね上がり逆転している用紙分離ローラー３にぶつかるとより反対方向に跳ね上げられ用紙７は正しく用紙分離部に供給されず用紙ジャムが発生する。【００２０】  用紙７の端部が回転している用紙加圧リング１に接触すると、その表面は高摩擦で用紙端はその摩擦力で保持され巻き込まれる為、用紙端はより効率的に用紙加圧リング１の下部に誘導される。用紙格納部９から取り出される用紙７が複数枚の場合、最下部の用紙は用紙搬送ベルト８で搬送されドキュメントシュレッダー装置に供給されるが、２枚目以降の用紙は逆転する用紙分離ローラー３の逆方向の搬送力により前には進めずその場所に留まる。その時用紙加圧リング１は２枚目以降の用紙に乗り上げる為、用紙搬送ベルト８の動力は伝わらず回転は停止する。【００２１】  最下部の用紙が搬送され終わると２枚目の用紙全面が用紙搬送ベルト８に接触し搬送力が高まる為、用紙分離ローラー３の逆方向の搬送力に打ち勝ち用紙分離部を通過し、その後用紙搬送ベルト８で用紙破砕部１１に運ばれ破砕される。
【図面の簡単な説明】
【図１】本発明による実施例である。
【図２】図１の右側面図（矢視Ａ）である。
【符号の説明】
１．        用紙加圧リング
２．        用紙分離ローラー軸
３．        用紙分離ローラー
４．        加圧ローラー
５．        アーム
６．        支点
７．        用紙
８．        用紙搬送ベルト
９．        用紙格納部
１０．      Ｏ−リング
１１．      用紙破砕部
【図１】
2007076917.tif 000003
【図２】
2007076917.tif 000004